(57)【要約】【課題】上側レジストローラががたついたり、カートリッジ筐体底面から下方に突出してじゃまになるのを防止し、カートリッジの取り扱いを容易にする。【解決手段】上側レジストローラ１２ａ両端部をローラ支持体８０で回転可能に支持し、ローラ支持体８０と感光体カートリッジ３のケース側壁３０ｃにそれぞれ係止されるねじりコイルバネ９０を設けて、上側レジストローラ１２ａを上方の退避位置に付勢する。【選択図】        図７
2007057646.tif 000002
【特許請求の範囲】
【請求項１】
静電潜像が形成される感光体を筐体内に有し、該感光体上の静電潜像を現像剤により可視像化する現像手段を備えた現像カートリッジが着脱自在に装着される感光体カートリッジにおいて、
画像形成装置側に設けられる画像形成装置側搬送ローラと共に記録媒体を搬送する搬送ローラ対を形成するカートリッジ側搬送ローラを有し、該カートリッジ側搬送ローラが前記感光体カートリッジの筐体に対して移動可能に支持されるカートリッジ側搬送手段と、
前記感光体カートリッジの筐体と前記カートリッジ側搬送手段との間に設けられ、カートリッジ側搬送手段を前記感光体カートリッジの筐体に対してがたつきを防止するように保持するための保持手段と、を備えた
ことを特徴とする感光体カートリッジ。
【請求項２】
前記カートリッジ側搬送ローラは、前記感光体カートリッジの筐体内に向かって退避した退避位置と前記画像形成装置側搬送ローラと作用する作用位置との間を移動可能に支持され、
前記保持手段は、前記カートリッジ側搬送ローラを前記退避位置に向かって付勢する付勢手段である
ことを特徴とする請求項１記載の感光体カートリッジ。
【請求項３】
前記カートリッジ側搬送手段は、前記カートリッジ側搬送ローラを回転可能に支持するローラ支持体を有し、
前記ローラ支持体は、前記カートリッジ側搬送ローラを支持する一端側とは反対側の他端側が前記感光体カートリッジの筐体に対して回動可能に軸支されている
ことを特徴とする請求項１または２に記載の感光体カートリッジ。
【請求項４】
前記付勢手段は、前記ローラ支持体を付勢するバネである
ことを特徴とする請求項２または３に記載の感光体カートリッジ。
【請求項５】
前記ローラ支持体は前記カートリッジ側搬送ローラの両端を各々支持するために一対に形成され、前記一対のローラ支持体を各々付勢する一対のバネを備える
ことを特徴とする請求項４記載の感光体カートリッジ。
【請求項６】
前記カートリッジ側搬送手段は、前記現像カートリッジが装着されたときに前記カートリッジ側搬送ローラが前記退避位置から前記作用位置に移動するように該現像カートリッジと係合する係合部を備えた
ことを特徴とする請求項２ないし５のいずれかに記載の感光体カートリッジ。
【請求項７】
前記係合部は、前記カートリッジ側搬送手段において、前記現像カートリッジが装着されたときに前記カートリッジ側搬送ローラが前記作用位置に移動するように該現像カートリッジと係合する
ことを特徴とする請求項６記載の感光体カートリッジ。
【請求項８】
前記係合部は、前記ローラ支持体に形成されている
ことを特徴とする請求項６または７に記載の感光体カートリッジ。
【請求項９】
静電潜像が形成される感光体と、画像形成装置側に設けられる画像形成装置側搬送ローラと共に記録媒体を搬送する搬送ローラ対を形成するカートリッジ側搬送ローラと該カートリッジ側搬送ローラを回転可能に支持するローラ支持体とを有するカートリッジ側搬送手段と、前記カートリッジ側搬送ローラを感光体カートリッジの筐体に対して保持するための保持手段と、を備えた感光体カートリッジに着脱自在に装着されると共に、前記感光体上の静電潜像を現像剤により可視像化する現像手段を備えた現像カートリッジであって、
前記感光体カートリッジに装着されたときに、前記保持手段に抗して、前記カートリッジ側搬送手段を押圧する押圧部を備えた
ことを特徴とする現像カートリッジ。
【請求項１０】
前記押圧部は、前記感光体カートリッジに装着されたときに、前記カートリッジ側搬送ローラを前記退避位置よりも下方に移動するように押圧する
ことを特徴とする請求項９記載の現像カートリッジ。
【請求項１１】
前記押圧部は、前記感光体カートリッジに装着されたときに、前記カートリッジ側搬送ローラを前記画像形成装置側搬送ローラと作用する作用位置に移動するように押圧する
ことを特徴とする請求項９または１０に記載の現像カートリッジ。
【請求項１２】
前記押圧部は、前記ローラ支持体もしくは前記カートリッジ側搬送ローラを押圧する
ことを特徴とする請求項９ないし１１のいずれかに記載の現像カートリッジ。
【請求項１３】
前記押圧部は、前記現像カートリッジの筐体において、前記ローラ支持体もしくは前記カートリッジ側搬送ローラに対向する位置に配置されている
ことを特徴とする請求項９ないし１２のいずれかに記載の現像カートリッジ。
【請求項１４】
前記押圧部は、前記現像カートリッジの筐体において、前記ローラ支持体もしくは前記カートリッジ側搬送ローラに対向する位置の少なくとも両端部に配置された突出部である
ことを特徴とする請求項９ないし１３のいずれかに記載の現像カートリッジ。
【請求項１５】
前記突出部は、前記現像カートリッジの筐体と一体で形成されている
ことを特徴とする請求項１４に記載の現像カートリッジ。
【請求項１６】
静電潜像が形成される感光体と、記録媒体を搬送する搬送ローラ対の一方を形成するカートリッジ側搬送ローラと該カートリッジ側搬送ローラを回転可能に支持するローラ支持体とを有するカートリッジ側搬送手段と、前記カートリッジ側搬送ローラを感光体カートリッジの筐体内に向かって退避する退避位置に付勢する付勢手段と、を備えた感光体カートリッジに対して、前記感光体上の静電潜像を現像剤により可視像化する現像手段と、前記付勢手段に抗して前記カートリッジ側搬送手段を押圧する押圧部と、を備えた現像カートリッジが装着された状態で着脱自在に装着されると共に、前記搬送ローラ対の他方を形成する画像形成装置側搬送ローラを備えた画像形成装置であって、
前記画像形成装置は、前記感光体カートリッジ及び前記現像カートリッジが装着されたときに、前記カートリッジ側搬送ローラを前記画像形成装置側搬送ローラに向かって付勢する弾性部材を備え、
前記弾性部材の付勢力は、前記付勢手段の付勢力よりも大きい
ことを特徴とする画像形成装置。
【請求項１７】
前記カートリッジ側搬送ローラを、前記画像形成装置側搬送ローラと対向して記録媒体を搬送可能な作用位置に案内するためのカートリッジ側搬送ローラ案内部材を備える
ことを特徴とする請求項１６に記載の画像形成装置。
【請求項１８】
前記画像形成装置への前記感光体カートリッジ及び前記現像カートリッジの装着が完了したときに、前記付勢手段に抗して前記カートリッジ側搬送手段を押圧するために現像カートリッジに備えられた押圧部と前記カートリッジ側搬送手段とが離間する
ことを特徴とする請求項１６または１７に記載の画像形成装置。
【発明の詳細な説明】
【技術分野】
【０００１】
本発明は、記録媒体の搬送ローラを備えた感光体カートリッジと、該感光体カートリッジに着脱自在に装着される現像カートリッジと、前記搬送ローラと対になる搬送ローラを備えると共に感光体カートリッジに現像カートリッジが装着されたプロセスカートリッジが着脱自在に装着される画像形成装置の技術分野に属するものである。
【背景技術】
【０００２】
従来、感光体上に形成された静電潜像に現像剤を供給して可視像を形成し、該可視像を記録媒体に転写する画像形成装置においては、メンテナンスを容易にするために、現像プロセス部分が画像形成装置に対して着脱自在なカートリッジとして構成される。このような画像形成装置においては、経時的な劣化等によって感光体が使用できなくなるまでの時間と現像剤が消費されてなくなるまでの時間とが異なる。そこで、それぞれの寿命に応じて交換が可能となるように、感光体を備える感光体カートリッジと感光体上の静電潜像を現像する現像カートリッジが独立して設けられる。これらのカートリッジは、お互いに結合され、プロセスカートリッジとして画像形成装置本体に着脱自在に装着される。
【０００３】
さらに、記録媒体を搬送する一対の搬送ローラのうち一方を画像形成装置側搬送ローラとして画像形成装置側に設け、もう一方をカートリッジ側搬送ローラとしてプロセスカートリッジに設けることによって、上記プロセスカートリッジの装置本体への装着時における略水平方向への移動を可能としている。（特許文献１）
【特許文献１】特開２００１−７５４５７号公報
【発明の開示】
【発明が解決しようとする課題】
【０００４】
上記構成においては、プロセスカートリッジが装置本体に装着されたときにカートリッジ側搬送ローラを画像形成装置側搬送ローラに対して適切に圧接させるため、カートリッジ側搬送ローラが上下方向への移動が可能となるように感光体カートリッジの筐体に遊嵌されて取り付けられている。そのため、感光体カートリッジの取り扱い時にカートリッジ側搬送ローラががたついて取り扱いのじゃまになるという問題がある。
【０００５】
本発明は、上述した問題点を解決するためになされたものであり、画像形成装置に装着される前の感光体カートリッジにおいて、カートリッジ側搬送ローラががたつくことなく、取り扱いを容易にすることができる感光体カートリッジ、及びこの感光体カートリッジに装着される現像カートリッジ、もしくはこれらの感光体カートリッジと現像カートリッジが装着される画像形成装置を提供することを目的とする。
【課題を解決するための手段】
【０００６】
この目的を達成するために、請求項１記載の感光体カートリッジは、静電潜像が形成される感光体を筐体内に有し、該感光体上の静電潜像を現像剤により可視像化する現像手段を備えた現像カートリッジが着脱自在に装着される感光体カートリッジにおいて、画像形成装置側に設けられる画像形成装置側搬送ローラと共に記録媒体を搬送する搬送ローラ対を形成するカートリッジ側搬送ローラを有し、該カートリッジ側搬送ローラが前記感光体カートリッジの筐体に対して移動可能に支持されるカートリッジ側搬送手段と、前記感光体カートリッジの筐体と前記カートリッジ側搬送手段との間に設けられ、カートリッジ側搬送手段を感光体カートリッジの筐体に対してがたつきを防止するように保持する保持手段を備えたことを特徴としている。
【０００７】
また、請求項２記載の感光体カートリッジは、請求項１記載の感光体カートリッジにおいて、前記カートリッジ側搬送ローラは、前記感光体カートリッジの筐体内に向かって退避した退避位置と前記画像形成装置側搬送ローラと作用する作用位置との間を移動可能に支持され、前記保持手段は、前記カートリッジ側搬送ローラを前記退避位置に向かって付勢する付勢手段であることを特徴としている。
【０００８】
また、請求項３記載の感光体カートリッジは、請求項１または２に記載の感光体カートリッジにおいて、前記カートリッジ側搬送手段は、前記カートリッジ側搬送ローラを回転可能に支持するローラ支持体を有し、前記ローラ支持体は、前記カートリッジ側搬送ローラを支持する一端側とは反対側の他端側が前記感光体カートリッジの筐体に対して回動可能に軸支されていることを特徴としている。
【０００９】
また、請求項４記載の感光体カートリッジは、請求項２または３に記載の感光体カートリッジにおいて、前記付勢手段は、前記ローラ支持体を付勢するバネであることを特徴としている。
【００１０】
また、請求項５記載の感光体カートリッジは、請求項４に記載の感光体カートリッジにおいて、前記ローラ支持体は前記カートリッジ側搬送ローラの両端を各々支持するために一対に形成され、前記一対のローラ支持体を各々付勢する一対のバネを備えることを特徴としている。
【００１１】
また、請求項６記載の感光体カートリッジは、請求項２ないし５のいずれかに記載の感光体カートリッジにおいて、前記カートリッジ側搬送手段は、前記現像カートリッジが装着されたときに前記カートリッジ側搬送ローラが前記退避位置から前記作用位置に移動するように該現像カートリッジと係合する係合部を備えたことを特徴としている。
【００１２】
また、請求項７記載の感光体カートリッジは、請求項６記載の感光体カートリッジにおいて、前記係合部は、前記カートリッジ側搬送手段において、前記現像カートリッジが装着されたときに前記カートリッジ側搬送ローラが前記作用位置に移動するように該現像カートリッジと係合することを特徴としている。
【００１３】
また、請求項８記載の感光体カートリッジは、請求項６または７に記載の感光体カートリッジにおいて、前記係合部は、前記ローラ支持体に形成されていることを特徴としている。
【００１４】
また、請求項９記載の現像カートリッジは、静電潜像が形成される感光体と、画像形成装置側に設けられる画像形成装置側搬送ローラと共に記録媒体を搬送する搬送ローラ対を形成するカートリッジ側搬送ローラと該カートリッジ側搬送ローラを回転可能に支持するローラ支持体とを有するカートリッジ側搬送手段と、前記カートリッジ側搬送ローラを感光体カートリッジの筐体に対して保持するための保持手段と、を備えた感光体カートリッジに着脱自在に装着されると共に、前記感光体上の静電潜像を現像剤により可視像化する現像手段を備えた現像カートリッジであって、前記感光体カートリッジに装着されたときに、前記保持手段に抗して、前記カートリッジ側搬送手段を押圧する押圧部を備えたことを特徴としている。
【００１５】
また、請求項１０記載の現像カートリッジは、請求項９記載の現像カートリッジにおいて、前記押圧部は、前記感光体カートリッジに装着されたときに、前記カートリッジ側搬送ローラを前記退避位置よりも下方に移動するように押圧することを特徴としている。
【００１６】
また、請求項１１記載の現像カートリッジは、請求項９または１０に記載の現像カートリッジにおいて、前記押圧部は、前記感光体カートリッジに装着されたときに、前記カートリッジ側搬送ローラを前記画像形成装置側搬送ローラと作用する作用位置に移動するように押圧することを特徴としている。
【００１７】
また、請求項１２記載の現像カートリッジは、請求項９ないし１１のいずれかに記載の現像カートリッジにおいて、前記押圧部は、前記ローラ支持体もしくは前記カートリッジ側搬送ローラを押圧することを特徴としている。
【００１８】
また、請求項１３記載の現像カートリッジは、請求項９ないし１２のいずれかに記載の現像カートリッジにおいて、前記押圧部は、前記現像カートリッジの筐体において、前記ローラ支持体もしくは前記カートリッジ側搬送ローラに対向する位置に配置されていることを特徴としている。
【００１９】
また、請求項１４記載の現像カートリッジは、請求項９ないし１３のいずれかに記載の現像カートリッジにおいて、前記押圧部は、前記現像カートリッジの筐体において、前記ローラ支持体もしくは前記カートリッジ側ローラに対向する位置の少なくとも両端部に配置された突出部であることを特徴としている。
【００２０】
また、請求項１５記載の現像カートリッジは、請求項１４に記載の現像カートリッジにおいて、前記突出部は、前記現像カートリッジの筐体と一体で形成されていることを特徴としている。
【００２１】
また、請求項１６記載の画像形成装置は、静電潜像が形成される感光体と、記録媒体を搬送する搬送ローラ対の一方を形成するカートリッジ側搬送ローラと該カートリッジ側搬送ローラを回転可能に支持するローラ支持体とを有するカートリッジ側搬送手段と、前記カートリッジ側搬送ローラを感光体カートリッジの筐体内に向かって退避する退避位置に付勢する付勢手段と、を備えた感光体カートリッジに対して、前記感光体上の静電潜像を現像剤により可視像化する現像手段と、前記付勢手段に抗して前記カートリッジ側搬送手段を押圧する押圧部と、を備えた現像カートリッジが装着された状態で着脱自在に装着されると共に、前記搬送ローラ対の他方を形成する画像形成装置側搬送ローラを備えた画像形成装置であって、前記画像形成装置は、前記感光体カートリッジ及び前記現像カートリッジが装着されたときに、前記カートリッジ側搬送ローラを前記画像形成装置側搬送ローラに向かって付勢する弾性部材を備え、前記弾性部材の付勢力は、前記付勢手段の付勢力よりも大きいことを特徴としている。
【００２２】
また、請求項１７記載の画像形成装置は、請求項１６に記載の画像形成装置において、前記カートリッジ側搬送ローラを、前記画像形成装置側搬送ローラと対向して記録媒体を搬送可能な作用位置に案内するためのカートリッジ側搬送ローラ案内部材を備えることを特徴としている。
【００２３】
また、請求項１８記載の画像形成装置は、請求項１６または１７に記載の画像形成装置において、前記画像形成装置への前記感光体カートリッジ及び前記現像カートリッジの装着が完了したときに、前記付勢手段に抗して前記カートリッジ側搬送手段を押圧するために現像カートリッジに備えられた押圧部と前記カートリッジ側搬送手段とが離間することを特徴としている。
【発明の効果】
【００２４】
以上説明したことから明らかなように、請求項１記載の感光体カートリッジによれば、カートリッジ側搬送ローラが感光体カートリッジの筐体に対して移動可能に支持されるカートリッジ側搬送手段と、感光体カートリッジの筐体とこのカートリッジ側搬送手段との間にカートリッジ側搬送手段を感光体カートリッジの筐体に対してがたつきを防止するように保持するための保持手段を備えているので、カートリッジ側搬送ローラが感光体カートリッジの筐体に対してがたつくことがない。したがって、感光体カートリッジの取り扱いが容易になる。
【００２５】
請求項２記載の感光体カートリッジによれば、カートリッジ側搬送ローラが感光体カートリッジの筐体内に向かって退避した退避位置と画像形成装置側搬送ローラと作用する作用位置との間を移動可能に支持され、保持手段がカートリッジ側搬送ローラを退避位置に向かって付勢する付勢手段であるため、カートリッジ側搬送ローラが常に感光体カートリッジの筐体内の退避位置に付勢されている。したがって、感光体カートリッジを取り扱うときにじゃまになることがなく、取り扱いがさらに容易になる。
【００２６】
請求項３記載の感光体カートリッジによれば、カートリッジ側搬送手段がカートリッジ側搬送ローラを回転可能に支持するローラ支持体を有し、このローラ支持体は、カートリッジ側搬送ローラを支持する一端側とは反対側の他端側が感光体カートリッジの筐体に対して回動可能に軸支されているので、簡単な構造でカートリッジ側搬送ローラを感光体カートリッジの筐体に対して移動可能に支持することができる。
【００２７】
請求項４記載の感光体カートリッジによれば、バネがローラ支持体を付勢するので、複雑な付勢機構を設けることなくカートリッジ側搬送手段を付勢することができる。
【００２８】
請求項５記載の感光体カートリッジによれば、簡単な構造でカートリッジ側搬送ローラを感光体カートリッジの筐体に対して移動可能に支持することができる。さらに、カートリッジ側搬送ローラの両端部を回転可能に支持する一対のローラ支持体を一対のバネが各々付勢するので、このローラ支持体及びバネを記録媒体の搬送のじゃまにならないように
することができる。
【００２９】
請求項６記載の感光体カートリッジによれば、現像カートリッジが装着されたときに、感光体カートリッジに設けられた係合部が現像カートリッジと係合して、カートリッジ側搬送ローラが退避位置から作用位置に移動するので、現像カートリッジの装着により確実にカートリッジ側搬送ローラを移動させることができる。
【００３０】
請求項７記載の感光体カートリッジによれば、現像カートリッジの装着によりカートリッジ側搬送ローラが作用位置に移動するので、これらの感光体カートリッジ及び現像カートリッジを画像形成装置本体に装着するときに装置本体側の案内部材と確実に係合させることができる。  
請求項８記載の感光体カートリッジによれば、係合部がローラ支持体に形成されているので、現像カートリッジが装着されたときにカートリッジ側搬送ローラの回動に悪影響を与えずにカートリッジ側搬送ローラを移動させることができる。
【００３１】
請求項９記載の現像カートリッジによれば、感光体カートリッジに現像カートリッジが装着されると、この現像カートリッジは感光体カートリッジに備えられたカートリッジ側搬送ローラを感光体カートリッジの筐体に対して保持する保持手段に抗してカートリッジ側搬送手段を押圧する。したがって、現像カートリッジの装着という簡単な動作だけでカートリッジ側搬送手段を確実に押圧することができる。
【００３２】
請求項１０記載の現像カートリッジによれば、感光体カートリッジに装着されたときに、押圧部による押圧で確実にカートリッジ側搬送ローラを退避位置よりも下方に移動させることができる。
【００３３】
請求項１１記載の現像カートリッジによれば、感光体カートリッジへの装着によりカートリッジ側搬送ローラが前記画像形成装置側搬送ローラと作用する作用位置に移動するので、これらの感光体カートリッジ及び現像カートリッジを画像形成装置本体に装着するときに装置本体側の案内部材と確実に係合させることができる。
【００３４】
請求項１２記載の現像カートリッジによれば、ローラ支持体を押圧するのでカートリッジ側搬送ローラの回動に悪影響を与えずにカートリッジ側搬送ローラを移動させることができる。もしくは、カートリッジ側搬送ローラを直接押圧するので、押圧力を確実にカートリッジ側搬送ローラに伝えてカートリッジ側搬送ローラを移動させることができる。
【００３５】
請求項１３記載の現像カートリッジによれば、感光体カートリッジへの装着によって、ローラ支持体もしくはカートリッジ側搬送ローラを直接押圧できる位置に押圧部が配置されているので、複雑な押圧機構を備える必要がない。
【００３６】
請求項１４記載の現像カートリッジによれば、突出部がローラ支持体もしくはカートリッジ側ローラに対向する位置の少なくとも両端部に配置されているので、ローラ支持体もしくはカートリッジ側搬送ローラの長手方向に均等に押圧することができる。
【００３７】
請求項１５記載の現像カートリッジによれば、現像カートリッジを簡単な構造で形成することができる。
【００３８】
請求項１６記載の画像形成装置によれば、感光体カートリッジ及び現像カートリッジが画像形成装置に装着されたときに、カートリッジ側搬送ローラを画像形成装置側搬送ローラに向かって付勢する弾性部材の付勢力が、カートリッジ側搬送ローラを感光体カートリッジの筐体内に向かって退避する退避位置に付勢する付勢手段の付勢力よりも大きいので、カートリッジ側搬送ローラが画像形成装置側搬送ローラに確実に当接し、記録媒体を安定して搬送することが可能になる。
【００３９】
請求項１７記載の画像形成装置によれば、画像形成装置内で感光体カートリッジ及び現像カートリッジを適切に案内すると共に、画像形成装置への装着が完了したときにはカートリッジ側搬送ローラを記録媒体の搬送が可能な作用位置に確実に配置させることができる。
【００４０】
請求項１８記載の画像形成装置によれば、感光体カートリッジ及び現像カートリッジの画像形成装置への装着が完了すると、現像カートリッジの押圧部とカートリッジ側搬送手段が離間するので、カートリッジ側搬送ローラを感光体カートリッジの筐体内に向かって退避する退避位置に付勢する付勢手段の付勢力が現像カートリッジに加わることを防止できる。それによって、現像手段に悪影響を与えて画像品質が低下するのを防ぐことができる。
【発明を実施するための最良の形態】
【００４１】
次に、本発明をレーザビーム式のプリンタに具体化した実施形態について説明する。
【００４２】
（プリンタの概略構成）
図１は画像形成装置としてのプリンタの概略側断面図である。図１に示すように、プリンタの本体ハウジング１内には、その略中央部に感光体カートリッジ３と現像カートリッジ４とからなるプロセスカートリッジ２が着脱可能に配置されている。
【００４３】
感光体カートリッジ３には、有機感光体等の感光面を有する感光体としての感光体ドラム１３が回転自在に配置され、感光体ドラム１３の下方には転写ローラ１４が感光体ドラム１３に押圧しながら回転するように設けられている。また、感光体ドラム１３の上方には、感光体ドラム１３の感光面を帯電させるためのスコロトロン等の帯電器３６が取り付けられている。更に、感光体カートリッジ３の筐体としてのケース３０の上部には、前記帯電器３６に隣接した位置に入光部３１が感光体ドラム１３の軸方向に沿って長手に形成されている。
【００４４】
現像カートリッジ４には、現像手段としての現像ローラ２２が感光体ドラム１３に対向しながら回転可能に配置されており、現像カートリッジ４内に収納した現像剤としてのトナーをこの現像ローラ２２によって感光体ドラム１３との対向位置まで搬送し、現像を行うようになっている。
【００４５】
以上のようなプロセスカートリッジ２よりも記録媒体としての用紙Ｐの搬送方向下流側には、加熱ローラ１５と圧接ローラ１６とを備えた定着器５が配置されている。定着器５は、加熱ローラ１５による加熱作用、及び加熱ローラ１５と圧接ローラ１６とによる加圧作用により、用紙Ｐに転写されたトナーを用紙Ｐに定着させるものである。
【００４６】
また、本体ハウジング１の上部には、前記定着器５から排出された用紙Ｐを載置するための合成樹脂製のカバー体兼用排紙トレイ１ａが設けられており、この排紙トレイ１ａの下面には、フレームを介して、レーザ光発光部、ポリゴンミラー１８、レンズ１９、複数の反射鏡２０等からなるレーザスキャナユニット７が取り付けられている。
【００４７】
また、プロセスカートリッジ２の下方には給紙部６が配置されている。給紙部６には、本体ハウジング１の下部において前面（矢印Ａ）方向から装着可能な給紙カセット８と、給紙カセット８内において用紙Ｐを積載する支持板９と、給紙カセット８内から用紙Ｐを取り出す給紙ローラ１０と、取り出される用紙Ｐを１枚ずつに分離する分離パッド１１とを備えている。
【００４８】
更に、本実施形態のプリンタにおいては、前記給紙部６よりも用紙Ｐの搬送方向下流側に、搬送ローラ対としてのレジストローラ対１２ａ，１２ｂが備えられている。レジストローラ対１２ａ，１２ｂは、前記給紙部６から供給される用紙Ｐを感光体ドラム１３と転写ローラ１４との圧接部にタイミングを取って搬送するためのローラ対である。本実施形態においては、上側レジストローラ１２ａを感光体カートリッジ３に設け、下側レジストローラ１２ｂをプリンタ本体側に設けている。尚、上側レジストローラ１２ａが本発明のカートリッジ側搬送ローラを構成し、下側レジストローラ１２ｂが本発明の画像形成装置側搬送ローラを構成する。
【００４９】
本実施形態においては、感光体カートリッジ３に対して現像カートリッジ４が装着されることによってプロセスカートリッジ２が構成され、このプロセスカートリッジ２が画像形成装置に着脱自在に装着される。プロセスカートリッジ２はプリンタ本体の前面（矢印Ａ）方向から着脱可能に構成され、レジストローラ対１２ａ，１２ｂのうちの上側レジストローラ１２ａが現像カートリッジ４の装着される感光体カートリッジ３に取り付けられることによって、現像カートリッジ４の装着された感光体カートリッジ３のプリンタ本体前面方向からの取り出しの容易化を図っている。
【００５０】
以上のような本実施形態のプリンタは、図示しない外部装置、例えばパーソナルコンピュータから印字指令と共に印刷データが伝送されると、給紙カセット８の支持板９上に積層された用紙Ｐは、給紙部６の給紙ローラ１０の回転につれて分離パッド１１により１枚ずつに分離され、次いで、レジストローラ対１２ａ，１２ｂを介してプロセスカートリッジ２における感光体ドラム１３とその下面側に押圧する転写ローラ１４との間に搬送される。
【００５１】
一方、感光体ドラム１３の表面は前記帯電器３６により一様に帯電されており、レーザスキャナ７を支持するフレームの下面の射出孔から発射されたレーザビームが、プロセスカートリッジ２におけるケース即ち、感光体カートリッジ３の筺体であるケース３０の上側の入光部３１から照射され、回転する感光体ドラム１３の上側周面を走査することにより静電潜像が形成される。また、現像カートリッジ４における現像ローラ２２上に現像剤としてのトナーが薄層形成され、該トナーは現像ローラ２２の回転によって前記静電潜像との対向部に搬送され、静電潜像はトナーの付着により可視像化（顕在化）された後、転写ローラ１４と感光体ドラム１３の押圧転写領域にて用紙Ｐに転写される。転写後の用紙Ｐは定着器５における加熱ローラ１５と圧接ローラ１６のとの間に給送され加熱定着作用を受け、定着後の用紙Ｐは、排紙経路１７から前記カバー体兼用排紙トレイ１ａ上に排出される。
【００５２】
このようなプリント動作に伴ってトナーが消費され、トナー補給の必要が生じた場合には、使用中のプロセスカートリッジ２をプリンタ本体前面から取り出し、古い現像カートリッジ４をプロセスカートリッジ２から取り外し、新しい現像カートリッジ４を装着してから、再びプロセスカートリッジ２をプリンタ本体前面から挿入してプリンタ本体に装着すればよく、誰でも簡単に、手を汚すことなくトナー補給を行うことができる。また、感光体ドラム１３が劣化した場合には、同様にプロセスカートリッジ２を取り出し、感光体カートリッジ３を新しいものと交換した後に現像カートリッジを装着して再びプロセスカートリッジ２をプリンタ本体に装着すればよい。
【００５３】
プロセスカートリッジ２のプリンタ本体に対する着脱の容易化を図るために本実施形態のごとく上側レジストローラ１２ａを現像カートリッジ４の装着される感光体カートリッジ３に取り付け、下側レジストローラ１２ｂをプリンタ本体側に取り付ける構成においては、現像カートリッジ４が装着された感光体カートリッジ３がプリンタ本体に装着されたときに上側レジストローラ１２ａと下側レジストローラ１２ｂが適切な押圧力でお互いに接触する必要がある。そのため、プロセスカートリッジ２のプリンタ本体への装着時にはプリンタ本体側から上側レジストローラ１２ａに適切な押圧力がかけられるように、上側レジストローラ１２ａは上下移動可能に形成されている。しかし、上側レジストローラ１２ａをこのように上下移動可能に形成すると、プリンタ本体への装着前の状態において、上側レジストローラ１２ａのがたつきが発生する。このように上側レジストローラ１２ａががたついた状態においては、上側レジストローラ１２ａがその自重によって感光体カートリッジ３の筐体の外方に突出することもある。したがって本実施例においては、現像カートリッジ４が装着される前の感光体カートリッジ３において、感光体カートリッジ３のケース３０の筐体内に向かって退避する位置に上側レジストローラ１２ａを付勢することによって上側レジストローラ１２ａのがたつきを防止するようにして、感光体カートリッジ３の取り扱いを容易にしている。
【００５４】
（上側レジストローラとその支持構成）
次に、本実施例における上側レジストローラ１２ａ及びその取り付け方法について、図２ないし図９を参照して説明する。
【００５５】
図２に示すように、カートリッジ側搬送ローラとしての上側レジストローラ１２ａは、メッキ処理した鉄またはステンレス鋼等の金属で形成された軸体であり、その長さは用紙Ｐの幅よりも長く形成されている。また、上側レジストローラ１２ａの両端には、樹脂で形成されたローラ支持体８０が取り付けられている。このローラ支持体８０は、図３（Ａ）〜（Ｃ）に示すように、上側レジストローラ１２ａの軸端を挿入するための挿入孔８０ａが形成された円筒部８０ｂと、感光体カートリッジ３のケース側壁３０ｃに形成された突起３０ｅ（図６の拡大図参照）に回動可能に嵌め込まれる側壁側円筒部８０ｃと、現像カートリッジが装着されたときに後述する押圧部と係合する係合部８０ｅと、この係合部８０ｅを保持する保持部８０ｄが一体に形成された部材である。
【００５６】
また、ローラ支持体８０には、図３（Ｄ）、（Ｅ）に示すように、保持手段としてのねじりコイルバネ９０が取り付けられている。このねじりコイルバネ９０はローラ支持体８０に一端９０ａが係止されると共にケース側壁３０ｃに他端９０ｂが係止されることによって、ローラ支持体を介して上側レジストローラ１２ａを感光体カートリッジ３のケース３０内に向かって、すなわちケース底面壁３０ｄに対して上方に付勢する付勢手段として構成されている（図１０参照）。
【００５７】
図４は感光体カートリッジ３に上側レジストローラ１２ａが取り付けられた状態を示す上面図であり、感光体カートリッジ３に対する現像カートリッジ４の装着方向手前側を下にして図示している。図５は図４の丸枠の部分を拡大した図であり、斜線で示した部分がローラ支持体８０である。図６は感光体カートリッジ３に上側レジストローラ１２ａが取り付けられる前の状態を示す図であり、図７ないし図９は上側レジストローラ１２ａが取り付けられた後の状態を示す図である。特に、図７は上側レジストローラ１２ａが取り付けられた感光体カートリッジ３をケース左側壁（図４の紙面左側壁）の内側から見た図であり、図８はケース右側壁（図４の紙面右側壁）の内側から見た図である。また、図９は上側レジストローラ１２ａが取り付けられた感光体カートリッジ３をケース左側壁の内側から見た図であるが、ねじりコイルバネ９０の他端９０ｂがどのように係止されているかを示すために、感光体ドラム１３及び感光体カートリッジ３のケース３０の上フレームを取り除いた状態で図示している。
【００５８】
図６に示すように、感光体カートリッジ３のケース側壁３０ｃには、上側レジストローラ１２ａ両端部に取り付けられたローラ支持体８０を回動可能に取り付けるための突起３０ｅが形成されており、この突起３０ｅにローラ支持体８０の側壁側円筒部８０ｃが嵌め込まれる。また、ケース側壁３０ｃには上側レジストローラ１２ａを上下動可能に支持するための切り欠き部３０ｆ（図６には左側部分のみを表示）が形成されており、この切り欠き部３０ｆにローラ支持体８０の円筒部８０ｂが嵌め込まれる。図７ないし図９に示すように、ねじりコイルバネ９０が一端９０ａをローラ支持体８０に係止され、他端９０ｂを感光体カートリッジ３のケース側壁３０ｃに係止されて取り付けられているので、ローラ支持体８０の円筒部８０ｂがこの切り欠き部３０ｆの上端縁に突き当たる位置（退避位置）と、切り欠き部３０ｆの下方で下側レジストローラ１２ｂと作用する作用位置との間を移動可能に支持されることになる。
【００５９】
特に、図８、図９から分かるように、ねじりコイルバネ９０の一端９０ａはローラ支持体８０に固定され、他端９０ｂがケース側壁３０ｃの凹部３０ｇに係止されており、その付勢力によって上側レジストローラ１２ａは常にケース側壁３０ｃの切り欠き部３０ｆの最上端まで付勢され、ケース３０内に向かって退避した退避位置で保持されることになる。
【００６０】
図１０はこのように上側レジストローラ１２ａが感光体カートリッジ３の切り欠き部３０ｆの上端縁まで付勢されて退避位置にある状態を示す感光体カートリッジ３の側面図であり、図１１〜図１３は図４におけるＡ−Ａ（中央部）、Ｂ−Ｂ（係合部）、Ｃ−Ｃ（バネ側面部）で切った状態を示す断面図である。図１３に示すように、ローラ支持体８０の側壁側円筒部８０ｃに取り付けられたねじりコイルバネ９０は、一端９０ａをローラ支持体８０の円筒部８０ｂに係止され、他端９０ｂが感光体カートリッジ３のケース側壁３０ｃに係止されている（図９参照）。従って、図１１、１２に示すように、上側レジストローラ１２ａは感光体カートリッジ３のケース側壁３０ｃに形成された切り欠き部３０ｆの上端縁までこのねじりコイルバネ９０によって付勢された状態で保持されている。
【００６１】
上述したように、感光体カートリッジ３単体の状態においては、ねじりコイルバネ９０によって上側レジストローラ１２ａは常にケース３０内に向って退避した退避位置、すなわち図１０〜１３に示すように、ケース底面壁３０ｄに対して上方の退避位置まで付勢されているため、上側レジストローラ１２ａががたつくこともなく、また感光体カートリッジ３を取り扱うときにもじゃまにならない。また、どの程度ケース３０内における上方に退避させるかをケース側壁３０ｃの切り欠き部３０ｆの切り欠き形状によって容易に調整することができる。
【００６２】
なお、本実施形態においてはローラ支持体として図３（Ａ）ないし（Ｃ）に示すような形状のものを用いたが、上側レジストローラ１２ａを一端側で支持し、反対側の他端側で感光体カートリッジ３のケース３０に対して回動可能に軸支される形状であればどのようなものであってもよい。
【００６３】
さらに、本実施形態においては付勢手段として図３（Ｄ）、（Ｅ）に示すようなねじりコイルバネ９０を用いたが、上側レジストローラ１２ａ及びローラ支持体８０と感光体カートリッジ３のケース３０との間に設けられてローラ支持体８０を上方に付勢できるバネであればどのようなものであってもよいことはもちろんである。
【００６４】
また、上記実施形態においては、感光体カートリッジ３のケース３０に対して上側レジストローラ１２ａをがたつきを防止するように保持するための保持手段として、ねじりコイルバネ９０を用いた例を説明したが、保持手段としてはこのようなバネによる付勢だけでなく、さまざまな形態が可能である。例えば、図３０に示すように、上側レジストローラ１２ａの両端部に取り付けられ、上側レジストローラ１２ａを回転可能に支持するローラ支持体８０ｆの周面に外方に突出する上側レジストローラ側係合部９１を設け、感光体カートリッジ３のケース３０には、この上側レジストローラ１２ａが取り付けられる切り欠き部３０ｆの内側面に保持手段としての感光体カートリッジ側係合部９２を設ける。上側レジストローラ側係合部９１は感光体カートリッジ側係合部９２によって下方向への移動を規制されているため、切り欠き部３０ｆの上端縁に突き当たる位置（退避位置）に保持され、がたつくことがない。この状態で感光体カートリッジ３に現像カートリッジ４が装着されると、この保持手段に抗して現像カートリッジ４が上側レジストローラ１２ａを押圧するため、上側レジストローラ１２ａは感光体カートリッジ側係合部９２の係合が外れ、下側レジストローラ１２ｂと作用する作用位置に向けて移動することになる。
【００６５】
（現像カートリッジの説明）
次にこの感光体カートリッジ３に装着される現像カートリッジ４について図１４ないし図１６を参照して説明する。尚、図１４は感光体カートリッジ３への装着姿勢における斜め下方向から見た現像カートリッジ４の斜視図であり、図１５、図１６はそれぞれ現像カートリッジ４の側面図、及び底面図である。
【００６６】
現像カートリッジ４の底面には、退避位置に付勢された上側レジストローラ１２ａ両端部のローラ支持体８０の係合部８０ｅと当接する位置に押圧部９１ａが形成されている。この押圧部９１ａは現像カートリッジ４の底面から突出する突出部であり、現像カートリッジ４は、感光体カートリッジ３に装着されるときにこの押圧部９１ａが係合部８０ｅと当接してこれを押圧しながら装着位置へと移動する。したがって、ローラ支持体８０に両端を支持された上側レジストローラ１２ａもねじりコイルバネ９０の上方向への付勢力に抗して退避位置よりも下方に押圧されることになる。現像カートリッジ４はこの状態で図示しないロック部材によって感光体カートリッジ３に対してロックされる。
【００６７】
（変形例）
上記の現像カートリッジ４は底面の両側部２ヶ所にそれぞれ押圧部９１ａが形成されていたが、以下のように押圧部を形成してもよい。
すなわち、図１７ないし図１９に示す現像カートリッジ４の底面には、退避位置に付勢された上側レジストローラ１２ａ両端部のローラ支持体８０の係合部８０ｅと当接する位置を含んで現像ローラ軸と平行に長手方向に延びる押圧部９１ｂを備えている。この押圧部９１ｂも現像カートリッジ４の底面から突出する突出部として形成されている。
また、図２０ないし図２２に示す現像カートリッジ４には、感光体カートリッジ３に装着されるときに上側レジストローラ１２ａ本体と対向する位置に押圧部９１ｃが形成されている。この押圧部９１ｃは現像カートリッジ４の底面から突出する突出部として形成されているが、現像カートリッジ４が感光体カートリッジ３に装着されるときに上側レジストローラ１２ａに対向する位置に形成されて、ねじりコイルバネ９０の上方向への付勢力に抗して上側レジストローラ１２ａを退避位置よりも下方に押圧するものである。
【００６８】
上述した現像カートリッジの押圧部は、現像カートリッジ４の筐体に一体形成されていてもよいし、別体で形成された押圧部を現像カートリッジ４の底面に取り付けてもよい。
【００６９】
（現像カートリッジの感光体カートリッジへの装着）
次に、上述した現像カートリッジ４を感光体カートリッジ３に装着する方法について、図１０の感光体カートリッジ３の側面図、及び図１５の現像カートリッジ４の側面図を参照して説明する。
【００７０】
図１０に示すように、感光体カートリッジ３のケース側壁３０ｃには現像カートリッジ４における現像ローラ２２の軸受け２２ａをガイドしながら装着位置に案内する切り欠きガイド３０ｈが形成されている。現像カートリッジ４を装着するときはこの切り欠きガイド３０ｈに現像ローラ２２の軸受け２２ａを沿わせながら装着するが、装着途中において現像カートリッジ４の底面に形成された押圧部９１ａが退避位置に退避していた上側レジストローラ１２ａ両端部のローラ支持体８０の係合部８０ｄに当接し、現像カートリッジ４の装着動作に連動して押圧部９１ａが係合部８０ｄを押圧していく。軸受け２２ａが切り欠きガイド３０ｈの最奥位置まで到達し、現像カートリッジ４が完全に感光体カートリッジ３に装着されると押圧部９１ａによるそれ以上の押圧はなされず、図２３に示すような上側レジストローラ１２ａが退避位置よりも下方に移動した位置で保持される。この状態における上側レジストローラ１２ａは、現像カートリッジ４が装着された感光体カートリッジ３がプリンタ本体に装着されたときに下側レジストローラ１２ｂと作用する作用位置に位置しており、この状態でがたつくことなく保持されることになる。また、その状態においては、上側レジストローラ１２ａは上方向への移動はできないものの、感光体カートリッジ３のケース側壁３０ｃから切り欠き部３０ｆを介して外方に突出するローラ支持体８０の円筒部８０ｂに下方向の力をかけてやれば下方向への移動は可能となっている。
【００７１】
一方、下側レジストローラ１２ｂは、図１に示すように、メッキ処理された鉄あるいはステンレス鋼等の金属で形成された軸１２ｃと、該軸１２ｃ上に形成されたウレタンゴム等の弾性体層１２ｄとから構成されており、該軸１２ｃは、プリンタ本体に回転可能に軸支されている。また、軸１２ｃは図示しないギア等を介してモータ等の駆動源に連結されており、図示しない制御部によりその回転開始のタイミング及び速度等が制御されている。
【００７２】
上述したように、上側レジストローラ１２ａは現像カートリッジ４による押圧を受けて図２３に示す位置に保持されており、その位置より下方への移動が可能な状態に設けられているが、本実施形態のプリンタ本体側には、上側レジストローラ１２ａを位置決めする手段が設けられており、感光体カートリッジ及び現像カートリッジ４をプリンタ本体に装着した状態においては、当該位置決め手段により、上側レジストローラ１２ａを下側レジストローラ１２ｂに対して、適切な位置、角度、及び押圧力となるように位置決めしている。
【００７３】
（上側レジストローラの下側レジストローラへの位置決め）
以下、図２４ないし図２９を参照し、感光体カートリッジ３に現像カートリッジ４が装着されたプロセスカートリッジ２をプリンタ本体に装着する動作を説明すると共に、本実施形態における上側レジストローラ１２ａの位置決め機構についても詳述する。
【００７４】
プロセスカートリッジ２の着脱作業は、図１に示すように本体ハウジング１の右端（前面側）の蓋体１ｂを下向きに回動させて大きく開いた状態で行う。本体ハウジング１の左右両側部の内面には、図２４に示すように、下向き傾斜するように略平行して延びる上側案内溝５５ａとカートリッジ側搬送ローラ案内部材としての下側案内溝５５ｂが形成されている。
【００７５】
図２４はプロセスカートリッジ２を本体ハウジング１への挿入開始位置に置いた状態を示しており、この状態から感光体ドラム１３の軸１３ａが上側案内溝５５ａに沿って奥側に押し込まれることによって、プロセスカートリッジ２はプリンタ本体に装着されると共に、上側レジストローラ１２ａは下側案内溝５５ｂにより下側レジストローラ１２ｂと対向して用紙Ｐを搬送可能な搬送位置に向けて案内されることになる。
【００７６】
図２５は、プロセスカートリッジ２を図２４の状態からさらに奥へ挿入した状態を示す図であり、このときプロセスカートリッジ２の上側レジストローラ１２ａは下側案内溝５５ｂの上案内面５５ｃに当接する。
【００７７】
尚、感光体カートリッジ３のみを単体でプリンタ本体に装着しようとしても、図２９に示すように、上側レジストローラ１２ａは退避位置に退避しているために下側案内溝５５ｂと係合することができない。したがって、感光体カートリッジ３単体でのプリンタ本体への装着はできないようになっている。
【００７８】
プロセスカートリッジ２がさらに奥へ挿入されると、上側レジストローラ１２ａは下側案内溝５５ｂの上案内面５５ｃの形状に沿う形で下方に移動してくる（図２６参照）。感光体ドラム１３の軸１３ａが上側案内溝５５ａの最奥端に達するとプロセスカートリッジ２のそれ以上の移動が規制されると共に、上側レジストローラ１２ａは下側案内溝５５ｂから外れる位置に配置される。その状態で、ユーザがプロセスカートリッジ２から手を離すと、図２７に示すように、ローラ支持体８０とプリンタ本体側の弾性部材としてのバネ４５とが係合状態となる。そして、図２８に示すように、上側レジストローラ１２ａの両端部に取り付けたローラ支持体８０はバネ４５により下側レジストローラ１２ｂに向けて押圧され、上側レジストローラ１２ａは下側レジストローラ１２ｂと共に用紙Ｐを搬送可能な搬送位置に移動する。該バネ４５が上側レジストローラ１２ａを下側レジストローラ１２ｂに向けて付勢する付勢力は、ねじりコイルバネ９０が上側レジストローラ１２ａを退避位置に向けて付勢する付勢力よりも大きく、その結果、上側レジストローラ１２ａは、下側レジストローラ１２ｂに対して適切な位置、角度、及び押圧力によって圧接することになる。また、図２７から分かるように、プロセスカートリッジ２のプリンタ本体への装着が完了した状態においては、バネ４５の付勢力によって上側レジストローラ１２ａが下側レジストローラ１２ｂに押圧されるために、現像カートリッジ４の押圧部９１ａがローラ支持体８０から離間する。したがって、現像カートリッジ４の押圧が上側レジストローラ１２ａと下側レジストローラ１２ｂとの圧接状態に作用することが防止できるので、上側レジストローラ１２ａは下側レジストローラ１２ｂに対して適切に圧接した状態を保つことができる。
【００７９】
以上説明したように、本実施形態においては、感光体カートリッジ３単体では上側レジストローラ１２ａがケース底面よりも上方に退避した位置に付勢されているので、上側レジストローラ１２ａががたついたり、ケース底面から突出してじゃまになることがない。  また、感光体カートリッジ３に現像カートリッジ４を装着したときには、上側レジストローラ１２ａは現像カートリッジ４に押圧されて、プリンタ本体に装着されたときに下側レジストローラ１２ｂと作用可能な作用位置で保持されるので、現像カートリッジ４の装着された感光体カートリッジ３を取り扱う時にも上側レジストローラ１２ａががたつかず、取り扱いが容易になる。
【００８０】
さらに、プロセスカートリッジ２をプリンタ本体に装着したときには、プリンタ本体側の位置決め機構によって上側レジストローラ１２ａが下側レジレストローラ１２ｂに対して適切な位置及び角度並びに押圧力で圧接するように位置決めされるので、上側レジストローラ１２ａと下側レジレストローラ１２ｂとの関係を常に適正な状態に保つことができる。その結果、常に安定した用紙搬送を行うことができる。
【図面の簡単な説明】
【００８１】
【図１】本発明の一実施形態における画像形成装置の概略構成を示す断面図である。
【図２】上側レジストローラを示す図である。
【図３】図２の上側レジストローラの両端部に取り付けられるローラ支持体を示す図であり、（Ａ）はローラ支持体の斜視図、（Ｂ）はローラ支持体の正面図、（Ｃ）はローラ支持体の側面図である。
【図４】感光体カートリッジに上側レジストローラが取り付けられた状態を示す上面図であり、感光体カートリッジに対する現像カートリッジ装着方向手前側を下にして図示している。
【図５】図４の丸枠の部分を拡大した図である。
【図６】感光体カートリッジに上側レジストローラが取り付けられる前の状態を示す図である。
【図７】上側レジストローラが取り付けられた感光体カートリッジをケース左側壁の内側から見た図である。
【図８】上側レジストローラが取り付けられた感光体カートリッジをケース右側壁の内側から見た図である。
【図９】上側レジストローラが取り付けられた感光体カートリッジをケース左側壁の内側から見た図である。特に、ねじりコイルバネの他端がどのように係止されているかを示すために、感光体ドラム及び感光体カートリッジの上フレームを取り除いた状態で図示している。
【図１０】感光体カートリッジの側面図である。
【図１１】図４における感光体カートリッジのＡ−Ａにおける中央断面図である。
【図１２】図４における感光体カートリッジのＢ−Ｂにおける係合部の断面図である。
【図１３】図４における感光体カートリッジのＣ−Ｃにおけるバネ側面部の断面図である。
【図１４】現像カートリッジの感光体カートリッジへの装着姿勢における斜め下方向から見た斜視図である。
【図１５】現像カートリッジの側面図である。
【図１６】現像カートリッジの底面図である。
【図１７】現像カートリッジの感光体カートリッジへの装着姿勢における斜め下方向から見た斜視図である（変形例１）。
【図１８】現像カートリッジの側面図である（変形例１）。
【図１９】現像カートリッジの底面図である（変形例１）。
【図２０】現像カートリッジの感光体カートリッジへの装着姿勢における斜め下方向から見た斜視図である（変形例２）。
【図２１】現像カートリッジの側面図である（変形例２）。
【図２２】現像カートリッジの底面図である（変形例２）。
【図２３】図１４に示す現像カートリッジが完全に感光体カートリッジに装着された状態を示す図である。
【図２４】プロセスカートリッジのプリンタ本体への装着を説明するための図である（その１）。
【図２５】プロセスカートリッジのプリンタ本体への装着を説明するための図である（その２）。
【図２６】プロセスカートリッジのプリンタ本体への装着を説明するための図である（その３）。
【図２７】プロセスカートリッジのプリンタ本体への装着を説明するための図である（その４）。
【図２８】プロセスカートリッジをプリンタ本体への装着した際の上側レジストローラの下側レジストローラに対する位置決め状態を示す図である。
【図２９】感光体カートリッジ単体でのプリンタ本体への装着を説明するための図である。
【図３０】感光体カートリッジのケースに対して上側レジストローラを退避位置に保持する別の構成を示す図である。
【符号の説明】
【００８２】
１  本体ハウジング
２  プロセスカートリッジ
３  感光体カートリッジ
４  現像カートリッジ
１２ａ  上側レジストローラ
１２ｂ  下側レジストローラ
１３  感光体ドラム
１４  転写ローラ
２２  現像ローラ
３０  ケース
３０ｃ  ケース側壁
３０ｄ  ケース底面壁
３０ｅ  突起
３０ｆ  切り欠き部
３０ｇ  凹部
３０ｈ  切り欠きガイド
５５ａ  上側案内溝
５５ｂ  下側案内溝
５５ｃ  上案内面
８０  ローラ支持体
８０ａ  挿入孔
８０ｂ  円筒部
８０ｃ  側壁側円筒部
８０ｄ  保持部
８０ｅ  係合部
８０ｆ  ローラ支持体
９０  ねじりコイルバネ
９０ａ  一端
９０ｂ  他端
９１  上側レジストローラ側係合部
９２  感光体カートリッジ側係合部
【図１】
2007057646.tif 000003
【図２】
2007057646.tif 000004
【図３】
2007057646.tif 000005
【図４】
2007057646.tif 000006
【図５】
2007057646.tif 000007
【図６】
2007057646.tif 000008
【図７】
2007057646.tif 000009
【図８】
2007057646.tif 000010
【図９】
2007057646.tif 000011
【図１０】
2007057646.tif 000012
【図１１】
2007057646.tif 000013
【図１２】
2007057646.tif 000014
【図１３】
2007057646.tif 000015
【図１４】
2007057646.tif 000016
【図１５】
2007057646.tif 000017
【図１６】
2007057646.tif 000018
【図１７】
2007057646.tif 000019
【図１８】
2007057646.tif 000020
【図１９】
2007057646.tif 000021
【図２０】
2007057646.tif 000022
【図２１】
2007057646.tif 000023
【図２２】
2007057646.tif 000024
【図２３】
2007057646.tif 000025
【図２４】
2007057646.tif 000026
【図２５】
2007057646.tif 000027
【図２６】
2007057646.tif 000028
【図２７】
2007057646.tif 000029
【図２８】
2007057646.tif 000030
【図２９】
2007057646.tif 000031
【図３０】
2007057646.tif 000032